【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
測定ゾーン内の被検体から磁気共鳴データを取得する磁気共鳴システムであって、前記磁気共鳴システムは、
マシン実行可能な命令及びパルスシーケンス命令を記憶するメモリであって、前記パルスシーケンス命令は前記磁気共鳴システムに磁気共鳴フィンガープリンティング法によって磁気共鳴データを取得させ、前記パルスシーケンス命令は一連のパルスシーケンス繰り返しを含み、各パルスシーケンス繰り返しは繰り返し時間の分布から選択される繰り返し時間を有し、各パルスシーケンス繰り返しは高周波パルスの分布から選択される高周波パルスを含み、前記高周波パルスの分布は磁気スピンをフリップ角の分布に回転させ、各パルスシーケンス繰り返しは、磁気共鳴信号が前記パルスシーケンス繰り返しの終了前のサンプリング時間に所定期間サンプリングされるサンプリングイベントを含み、前記サンプリング時間はサンプリング時間の分布から選択され、前記磁気共鳴データは前記サンプリングイベント中に取得され、前記測定ゾーンで使用される磁場の不均一性の影響を低減させるために、前記パルスシーケンス命令の各パルスシーケンス繰り返しは、前記高周波パルスと前記サンプリングイベントとの間の第１の時間的中点で実行されて前記磁気共鳴信号をリフォーカスする第１の１８０°ＲＦパルスを含み、前記パルスシーケンス命令の各パルスシーケンス繰り返しは、前記サンプリングイベントと次のパルス繰り返しの始まりとの間の第２の時間的中点で実行される第２の１８０°ＲＦパルスを含む、メモリと、
前記磁気共鳴システムを制御するプロセッサであって、前記マシン実行可能な命令を実行することによって、前記プロセッサに
・前記磁気共鳴システムをパルスシーケンス命令により制御することにより前記磁気共鳴データを取得させ、
・前記磁気共鳴データを、所定の物質のセットに対して前記パルスシーケンス命令を実行することに応答して計算された磁気共鳴信号のリストを含む磁気共鳴フィンガープリンティングディクショナリと比較することにより、前記所定の物質のセットの各々の存在量を計算させるプロセッサとを備える、磁気共鳴システム。
【請求項２】
前記磁気共鳴システムは磁気共鳴イメージングシステムであり、前記測定ゾーンはイメージングゾーンであり、前記磁気共鳴システムは更に、
前記測定ゾーン内にメイン磁場を生成する磁石と、
前記測定ゾーン内に勾配磁場を生成して前記磁気共鳴データを空間符号化する磁場勾配システムと、を備え、
前記パルスシーケンス命令は更に、前記磁気共鳴データの取得中に前記磁気共鳴データの空間符号化を行うように前記磁場勾配システムを制御する命令を含み、前記空間符号化は、前記磁気共鳴データを離散的なボクセルに分割する、請求項１に記載の磁気共鳴システム。
【請求項３】
更に、前記マシン実行可能な命令を実行することによって、前記プロセッサは、前記離散的なボクセルの各々に対するブロッホ方程式を用いて前記所定の物質の各々を単一のスピンとしてモデリングすることにより、前記磁気共鳴フィンガープリンティングディクショナリを計算する、請求項２に記載の磁気共鳴システム。
【請求項４】
前記空間符号化は１次元であり、前記離散的なボクセルは一群の離散的なスライスであり、前記磁気共鳴データを前記スライスのセットに分割し、前記所定の物質のセットの各々の存在量は、前記スライスのセットの各々の前記磁気共鳴データを前記磁気共鳴フィンガープリンティングディクショナリと比較することにより前記各スライスのセットの各々内で計算される、請求項２又は３に記載の磁気共鳴システム。
【請求項５】
前記空間符号化は、パルスシーケンスの実行中に一定の磁場勾配を所定の方向に生成するように前記磁場勾配システムを制御することにより実行される、請求項４に記載の磁気共鳴システム。
【請求項６】
前記空間符号化は、少なくとも部分的に前記サンプリングイベント中に１次元読み出し勾配を生成するように前記磁場勾配システムを制御することにより実行される、請求項４に記載の磁気共鳴システム。
【請求項７】
前記空間符号化は３次元であり、前記空間符号化は、少なくとも部分的に前記サンプリングイベント中に３次元読み出し勾配を生成するように前記磁場勾配システムを制御することにより実行される、請求項２又は３に記載の磁気共鳴システム。
【請求項８】
前記空間符号化はマルチスライス符号化として実行され、前記空間符号化は、前記高周波パルス中にスライス選択勾配を生成するように前記磁場勾配システムを制御することにより実行され、前記空間符号化は更に、第１の１８０°ＲＦパルス中に位相選択勾配又はスライス選択勾配を生成するように前記磁場勾配システムを制御することにより実行され、前記空間符号化は、前記サンプリングイベント中に読み出し勾配を生成するように前記磁場勾配システムを制御することにより実行される、請求項２又は３に記載の磁気共鳴システム。
【請求項９】
前記空間符号化は非デカルト空間符号化として実行され、前記空間符号化は、ｋ空間を非デカルト的にサンプリングするサンプリングイベント中に読み出し勾配を生成するように前記磁場勾配システムを制御することにより実行される、請求項２又は３に記載の磁気共鳴システム。
【請求項１０】
前記磁気共鳴システムはＮＭＲ分光計であり、更に、前記マシン実行可能な命令を実行することによって、前記プロセッサは、離散的なボクセルの各々に対するブロッホ方程式を用いて前記所定の物質の各々を単一のスピンとしてモデリングすることにより、前記磁気共鳴フィンガープリンティングディクショナリを計算する、請求項１に記載の磁気共鳴システム。
【請求項１１】
離散的なボクセルの各々の前記磁気共鳴データを事前に計算された前記磁気共鳴フィンガープリンティングディクショナリと比較することにより、前記離散的なボクセルの各々内の前記所定の組織タイプの各々の存在量を計算することは、
前記磁気共鳴データの各磁気共鳴信号を前記所定の物質のセットの各々からの信号の線形結合として表すことと、
最小化手法を用いて前記線形結合を解くことにより前記所定の物質のセットの各々の存在量を決定することと、により行われる、請求項１乃至１０の何れか一項に記載の磁気共鳴システム。
【請求項１２】
更に、前記命令を実行することによって、前記プロセッサは、少なくとも１つの較正ファントムの前記磁気共鳴データの測定を繰り返し、前記少なくとも１つの較正ファントムは、前記所定の物質のセットのうちの少なくとも１つの既知のボリュームを含む、請求項１乃至１１の何れか一項に記載の磁気共鳴システム。
【請求項１３】
測定ゾーン内の被検体から磁気共鳴データを取得するための磁気共鳴システムを制御するプロセッサにより実行される、マシン実行可能な命令及びパルスシーケンス命令を記憶するコンピュータプログラムであって、前記パルスシーケンス命令は前記磁気共鳴システムに磁気共鳴フィンガープリンティング法によって前記磁気共鳴データを取得させ、前記パルスシーケンス命令は一連のパルスシーケンス繰り返しを含み、各パルスシーケンス繰り返しは繰り返し時間の分布から選択される繰り返し時間を有し、各パルスシーケンス繰り返しは高周波パルスの分布から選択される高周波パルスを含み、前記高周波パルスの分布は磁気スピンをフリップ角の分布に回転させ、各パルスシーケンス繰り返しは、磁気共鳴信号が前記パルスシーケンス繰り返しの終了前のサンプリング時間に所定期間サンプリングされるサンプリングイベントを含み、前記サンプリング時間はサンプリング時間の分布から選択され、前記磁気共鳴データは前記サンプリングイベント中に取得され、前記測定ゾーンで使用される磁場の不均一性の影響を低減させるために、前記パルスシーケンス命令の各パルスシーケンス繰り返しは、前記高周波パルスと前記サンプリングイベントとの間の第１の時間的中点で実行されて前記磁気共鳴信号をリフォーカスする第１の１８０°ＲＦパルスを含み、前記パルスシーケンス命令の各パルスシーケンス繰り返しは、前記サンプリングイベントと次のパルス繰り返しの始まりとの間の第２の時間的中点で実行される第２の１８０°ＲＦパルスを含み、前記マシン実行可能な命令を実行することによって、前記プロセッサに、
・前記磁気共鳴システムをパルスシーケンス命令により制御することにより前記磁気共鳴データを取得させ、
・前記磁気共鳴データを、所定の物質のセットに対して前記パルスシーケンス命令を実行することに応答して計算された磁気共鳴信号のリストを含む磁気共鳴フィンガープリンティングディクショナリと比較することにより、前記所定の物質のセットの各々の存在量を計算させる、コンピュータプログラム。
【請求項１４】
測定ゾーン内の被検体から磁気共鳴データを取得する磁気共鳴システムを動作させる方法であって、前記磁気共鳴システムは、
パルスシーケンス命令を記憶するメモリであって、前記パルスシーケンス命令は前記磁気共鳴システムに磁気共鳴フィンガープリンティング法によって磁気共鳴データを取得させ、前記パルスシーケンス命令は一連のパルスシーケンス繰り返しを含み、各パルスシーケンス繰り返しは繰り返し時間の分布から選択される繰り返し時間を有し、各パルスシーケンス繰り返しは高周波パルスの分布から選択される高周波パルスを含み、前記高周波パルスの分布は磁気スピンをフリップ角の分布に回転させ、各パルスシーケンス繰り返しは、磁気共鳴信号が前記パルスシーケンス繰り返しの終了前のサンプリング時間に所定期間サンプリングされるサンプリングイベントを含み、前記サンプリング時間はサンプリング時間の分布から選択され、前記磁気共鳴データは前記サンプリングイベント中に取得され、前記測定ゾーンで使用される磁場の不均一性の影響を低減させるために、前記パルスシーケンス命令の各パルスシーケンス繰り返しは、前記高周波パルスと前記サンプリングイベントとの間の第１の時間的中点で実行されて前記磁気共鳴信号をリフォーカスする第１の１８０°ＲＦパルスを含み、前記パルスシーケンス命令の各パルスシーケンス繰り返しは、前記サンプリングイベントと次のパルス繰り返しの始まりとの間の第２の時間的中点で実行される第２の１８０°ＲＦパルスを含む、メモリを備え、
前記方法は、
・前記磁気共鳴システムをパルスシーケンス命令により制御することにより前記磁気共鳴データを取得するステップと、
・前記磁気共鳴データを、所定の物質のセットに対して前記パルスシーケンス命令を実行することに応答して計算された磁気共鳴信号のリストを含む磁気共鳴フィンガープリンティングディクショナリと比較することにより、前記所定の物質のセットの各々の存在量を計算するステップと、を含む、方法。